(57)【要約】【課題】建物床の音の固体伝搬を抑制する防音床構造を提供する。【解決手段】この防音床構造１は、建物の床１による音の固体伝搬を抑制する防音床構造であり、便器２ａを備えるトイレ２において適用することができる。上記床１は、例えば、木質系材料からなる１階床であり、特定領域となる第１床部材１１と、この第１床部材１１の周囲に位置する周囲領域となる第２床部材１２とが分離されて縁切りされている。上記縁切りされた箇所には、弾性復元率が６０％以上で９５％以下であるシーリング材４が充填されている。【選択図】図１
2018096083.tif 000002
【特許請求の範囲】
【請求項１】
建物の床部材による音の固体伝搬を抑制する防音床構造であって、床部材同士が縁切りされており、上記縁切りされた箇所に弾性復元率が６０％以上で９５％以下であるシーリング材が充填されていることを特徴とする防音床構造。
【請求項２】
請求項１に記載の防音床構造において、上記シーリング材の伸び率が５５０％以上であることを特徴とする防音床構造。
【請求項３】
請求項１または請求項２に記載の防音床構造において、上記シーリング材の硬度が２０度以下であることを特徴とする防音床構造。
【請求項４】
請求項１〜請求項３のいずれか１項に記載の防音床構造において、上記床部材は木質系材料からなることを特徴とする防音床構造。
【請求項５】
請求項１〜請求項３のいずれか１項に記載の防音床構造において、上記床部材は軽量発泡コンクリートからなることを特徴とする防音床構造。
【請求項６】
請求項１〜請求項５のいずれか１項に記載の防音床構造において、上記床部材の特定領域が、当該特定領域の周囲に位置する周囲領域の床部材から縁切りされており、上記特定領域には便器が設置されることを特徴とする防音床構造。
【発明の詳細な説明】
【技術分野】
【０００１】
この発明は、生活音等に対する防音性能を有する防音床構造に関する。
【背景技術】
【０００２】
特許文献１に記載の床構造は、互いに平行配置された横梁の上面よりも低い位置の対向面に、内出部がそれぞれ突設され、各内出部の上面でＡＬＣ床板の両端がそれぞれ支持されており、各内出部は、横梁間に架け渡された状態のＡＬＣ床板の上面が横梁の上面とほぼ面一となるような上下配置で、各横梁の対向面に突設されている。そして、ＡＬＣ床板と横梁の隙間には、シリコーンシール材が充填されている。
【先行技術文献】
【特許文献】
【０００３】
【特許文献１】特開平１１−９３３１３号公報
【発明の概要】
【発明が解決しようとする課題】
【０００４】
しかしながら、上記特許文献１に記載の床構造は、シリコーンシール材をＡＬＣ床板と横梁の隙間に充填することで、この隙間を塞いで空気伝搬音が遮断されるものの、上記シリコーンシール材によって音の固体伝搬が発生するため、十分な防音性が得られるものではないと思われる。
【０００５】
この発明は、上記の事情に鑑み、建物床の音の固体伝搬を抑制する防音床構造を提供することを課題とする。
【課題を解決するための手段】
【０００６】
この発明の防音床構造は、上記の課題を解決するために、建物の床部材による音の固体伝搬を抑制する防音床構造であって、床部材同士が縁切りされており、上記縁切りされた箇所に弾性復元率が６０％以上で９５％以下であるシーリング材が充填されていることを特徴とする。
【０００７】
上記の構成であれば、上記床部材同士が縁切りされたので、例えば、或る箇所において発生した音が、床を媒介した固体伝搬によって周囲に伝搬していくのを抑制することができる。そして、上記縁切りされた箇所には、シーリング材が充填されるので、隙間による音の空気伝搬も抑制されることになる。さらに、上記シーリング材は、その弾性復元率が９５％以下であるため、シーリング材による音の固体伝搬が抑制されることになる。すなわち、折角、縁切りがされたことによる音の固体伝搬の抑制が上記シーリング材で阻害されるのを、上記シーリング材の弾性復元率を９５％以下とすることで極力防止することができる。
【０００８】
上記シーリング材の伸び率が５５０％以上であってもよい。これによれば、上記床部材同士の間で位置変位が生じたとしても、上記の伸び率により、上記シーリング材において亀裂等は生じにくく、また、上記床部材を安定的に位置させることができる。
【０００９】
上記シーリング材の硬度が２０度以下であってもよい。これによれば、シーリング材による音の固体伝搬をさらに抑制することができる。
【００１０】
上記床部材は木質系材料からなっていてもよい。或いは、上記床部材は軽量発泡コンクリートからなっていてもよい。
【００１１】
上記床部材の特定領域が、当該特定領域の周囲に位置する周囲領域の床部材から縁切りされており、上記特定領域には便器が設置されていてもよい。
【発明の効果】
【００１２】
本発明であれば、床部材同士の縁切りによって音の固体伝搬を抑制し、また、シーリング材によって上記縁切りによる隙間を塞いで音の空気伝搬を抑制するとともに、上記縁切りによる音の固体伝搬を上記シーリング材が阻害しないようにしたので、建物床の防音性能を向上できるという効果を奏する。
【図面の簡単な説明】
【００１３】
【図１】本発明の実施形態に係る防音床構造を有するトイレを示した説明図である。
【図２】図１のトイレの便器が設置された特定領域とその周囲領域等の概略を立体的に示した説明図である。
【図３】図２の特定領域をなす床部を上下反転させて示した説明図である。
【図４】本発明の他の実施形態に係る防音床構造を有するＡＬＣ床を示した説明図である。
【発明を実施するための形態】
【００１４】
以下、この発明の実施の形態を添付図面に基づいて説明する。
図１に示すように、この実施形態の防音床構造は、建物の床１による音の固体伝搬を抑制する防音床構造であり、例えば、便器２ａを備えるトイレ２において適用することができる。
【００１５】
上記床１は、例えば、木質系材料からなる１階床であり、特定領域となる第１床部材１１と、この第１床部材１１の周囲に位置する周囲領域となる第２床部材１２とが分離されて縁切りされている。
【００１６】
上記第１床部材１１上に上記便器２ａが設置されている。この便器２ａにおける配管２ｂは、上記第１床部材１１を貫通して床下に出されている。また、上記トイレ２を仕切る仕切り壁２１は、上記第２床部材１２上において設置される。
【００１７】
上記第１床部材１１は、図２および図３にも示すように、例えば、６００ｍｍ角の大きさの正方形板とされており、床下側に設けられた床束３によって支持されている。同様に、上記第２床部材１２も床束３によって支持されている。上記床束３によって床板下の大引き１０(図１参照)を支持する場合、この大引き１０を、上記第１床部材１１から上記第２床部材１２に渡さずに、上記縁切りの箇所において分断しておく。なお、図２および図３では、大引きの図示を省略している。
【００１８】
上記縁切りの箇所には、弾性復元率が６０％以上で９５％以下(望ましくは、６０％以上で９０％以下)であるシーリング材４が充填されている。上記弾性復元率の値は、ＪＩＳＡ５７５８（Ｇ−３０ＳＬＭ）に基づくものとする。また、上記シーリング材４としては、１成分形室温硬化タイプのオキシム型シリコンシーラント、有機系弾性シーリング材等からなるものを用いることができる。
【００１９】
また、上記シーリング材４は、その伸び率が５５０％以上である。上記伸び率の値は、ＪＩＳＡ５７５８に基づくものとする。
【００２０】
また、上記シーリング材４は、その硬度（ＪＩＳタイプＡ）が２０度以下である。上記硬度の値は、ＪＩＳＫ６２４９に基づくものとする。
【００２１】
上記の構成であれば、上記第１、第２床部材１１，１２同士が縁切りされたので、例えば、上記第１床部材１１の箇所において発生した音が、床を媒介とした固体伝搬によって周囲に伝搬していくのを抑制することができる。そして、上記縁切りされた箇所には、上記シーリング材４が充填されるので、隙間による音の空気伝搬も抑制されることになる。さらに、上記シーリング材４は、その弾性復元率が９５％以下であるため、このシーリング材４による音の固体伝搬が抑制されることになる。すなわち、折角、縁切りがされたことによる音の固体伝搬の抑制がシーリング材で阻害されるのを、上記シーリング材４が９５％以下の弾性復元率を有することで極力防止できたものである。もちろん、上記シーリング材４の弾性復元率を望ましくは９０％以下とすることで、縁切り箇所での音の固体伝搬をさらに抑制できる。
【００２２】
上記シーリング材４の伸び率が５５０％以上であると、上記第１、第２床部材１１，１２同士の間で位置変位が生じたとしても、上記の伸び率により、上記シーリング材４において亀裂等は生じにくくなり、また、上記第１床部材１１を安定的に位置させることができる。
【００２３】
上記シーリング材４の硬度が２０度以下であると、このシーリング材４による音の固体伝搬をさらに抑制することができる。
【００２４】
図１のように構成されたトイレ２の遮音性能を振動加速度レベルにより計測した。具体的には、振動ピックアップを上記トイレ２の外側となる上記第２床部材１２上にセットし、洗浄ボトル内から押し出した水を上記便器２ａ内の溜水に落とし入れた。上記便器２ａ内に水が落とし入れられると、小便の行為時に生じる音と同等の略５００Ｈｚの周波数を中心とする音が発生することになる。水の落とし入れを１０秒間行い、その間の振動加速度レベルの平均値を調べた。なお、振動加速度レベルと音圧との間には相関があり、振動加速度レベルが高ければ音圧も高いといえる。
【００２５】
上記計測において、上記シーリング材４として、上記の弾性復元率（Ｇ−３０ＳＬＭ）が９０、伸び率が５５０％、硬度が１８度の１成分形室温硬化タイプのオキシム型シリコンシーラントを用いた。また、比較用のシーリング材Ａとして、弾性復元率が９７、伸び率が４８０％、硬度が３２度の１成分形室温硬化タイプのオキシム型シリコンシーラントを用い、比較用のシーリング材Ｂとして、弾性復元率が９９、伸び率が６５８％、硬度が１２度の１成分形室温硬化タイプのオキシム型シリコンシーラントを用いた。
【００２６】
ここで、縁切りした場合には、縁切りしない場合に比べて音圧レベルが約５デシベル小さくなった。しかし、上記計測において、上記比較用のシーリング材Ａおよび上記比較用のシーリング材Ｂを用いた時の音圧レベルは、縁切りしない場合と同等であった。一方、上記シーリング材４を用いたときの音圧レベルは、縁切りしない場合と比べて約５デシベル小さくなった。このように、折角、縁切りがされたことによる音の固体伝播の抑制がシーリング材で阻害されるのを、上記シーリング材４を用いることにより極力防止することができた。
【００２７】
次に他の実施形態の床構造について説明していく。図４に示すように、建物の床６を構成する第１床部材６１と第２床部材６２とは、隙間をおいてＨ鋼梁６３の上フランジ上の載せられており、それぞれ、固定金具６４によって上記Ｈ鋼梁６３の上フランジに固定されている。すなわち、上記第１床部材６１と上記第２床部材６２とは、縁切りされて分離された状態でそれぞれ上記Ｈ鋼梁６３に固定されている。上記第１床部材６１および上記第２床部材６２は、例えば、軽量発泡コンクリート（ＡＬＣ）からなる。また、上記第１床部材６１および上記第２床部材６２と上記Ｈ鋼梁６３との間には、板状の防振ゴム６５が設けられている。また、上記第１床部材６１および上記第２床部材６２の上には床仕上げ材６６が敷かれている。なお、床部材は、木やＡＬＣの他、プレキャストコンクリートや打設コンクリート等とすることができる。
【００２８】
なお、建物の１フロアの床６を構成する各床部材（ＡＬＣ等）間の全てに隙間を形成してもよいし、或る部屋を構成する一群の床部材同士の間には隙間を設けずに床材同士を接触させ、この或る部屋の隣の空間(部屋、廊下等)を構成する床部材との間にだけ隙間を設けるようにしてもよいものである。もちろん、このような隙間は、シーリングが行える幅に設定される。
【００２９】
そして、上記隙間(縁切り箇所)には、上記シーリング材４が充填される。このような構造を有する床構造とすることで或る床部材の箇所において発生した音が、固体伝搬によって他の床部材に伝搬していくのを抑制することができる。そして、上記シーリング材４は、その弾性復元率が９５％以下であるため、このシーリング材４による音の固体伝搬が抑制されることになる。すなわち、折角、縁切りがされたことによる音の固体伝搬の抑制がシーリング材で阻害されるのを、上記シーリング材４が９５％以下の弾性復元率を有することで極力防止することができた。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１    ：床
１０  ：大引き
１１  ：第１床部材
１２  ：第２床部材
２    ：トイレ
２ａ  ：便器
２ｂ  ：配管
２１  ：仕切り壁
３    ：床束
４    ：シーリング材
６    ：床
６１  ：第１床部材
６２  ：第２床部材
６３  ：Ｈ鋼梁
６４  ：固定金具
６５  ：防振ゴム
６６  ：床仕上げ材
【図１】
2018096083.tif 000003
【図２】
2018096083.tif 000004
【図３】
2018096083.tif 000005
【図４】
2018096083.tif 000006